(57)【要約】【課題】主題となる事故情報との関連性の度合が視覚的、直感的に把握でき、将来の事故の発生の予測が可能な事故情報提供システム及び方法を提供する。【解決手段】事故情報提供システム１０は、制御部１と、処理対象範囲取得部２と、事故情報データベース３と、関連度算出部４と、事故情報表示部５と備えて構成される。関連度算出部４は、事故情報データベース３から取得された、主題となる事故情報及び処理対象となる事故情報について、所定の項目要素に関して関連度を算出するとともに、関連度に応じて、主題となる事故情報を表すオブジェクトと処理対象となる事故情報を表すオブジェクトとを離間して配置させる。【選択図】図１
2013109632.tif 000002
【特許請求の範囲】
【請求項１】
各々の事故情報が複数の項目要素と関連付けて記憶される事故情報データベースと、
前記事故情報データベースから取得された、主題となる事故情報及び処理対象となる事故情報について、前記複数の項目要素から選択された所定の項目要素に関して前記主題となる事故情報と前記処理対象となる事故情報との関連度を算出するとともに、前記関連度に応じて前記主題となる事故情報を表すオブジェクトと前記処理対象となる事故情報を表すオブジェクトとを離間して位置付ける関連度算出部と、
少なくとも前記事故情報データベース及び前記関連度算出部を制御して各種処理を実行させる制御部と、
を備える事故情報提供システム。
【請求項２】
前記関連度算出部は、前記選択された所定の項目要素として、事故が発生した時刻又は事故が検出された時刻を表す事故時刻に関して、前記主題となる事故情報と前記処理対象となる事故情報との関連度を算出する請求項１記載の事故情報提供システム。
【請求項３】
前記関連度算出部において、前記関連度の算出処理を行う範囲内の事故情報を前記事故情報データベースから抽出する処理対象範囲取得部をさらに備える請求項１又は２記載の事故情報提供システム。
【請求項４】
前記複数の項目要素のうち、前記選択された所定の項目要素以外の任意の項目要素を追加項目要素として、前記主題となる事故情報を表すオブジェクト及び前記処理対象となるオブジェクトに関連させて位置付ける追加項目要素付加部をさらに備える請求項１乃至３のいずれか１項記載の事故情報提供システム。
【請求項５】
複数の場所で検出した複数の事故情報を１つの事故情報として集約して位置付ける集約処理機能部をさらに備える請求項１乃至４のいずれか１項記載の事故情報提供システム。
【請求項６】
前記位置関係を表示画面に表示させる事故情報表示部を備える請求項１乃至５のいずれか１項記載の事故情報提供システム。
【請求項７】
前記関連度を算出した結果を、選択された３Ｄ表示または２Ｄ表示によって表示させるように前記事故情報表示部に指令する表示方法選択部をさらに備える請求項６記載の事故情報提供システム。
【請求項８】
各々の事故情報が複数の項目要素と関連付けて記憶される事故情報データベースから、主題となる事故情報及び処理対象となる事故情報を取得するステップと、
前記複数の項目要素から選択された所定の項目要素に関して前記主題となる事故情報と前記処理対象となる事故情報との関連度を算出するステップと、
前記関連度に応じて前記主題となる事故情報を表すオブジェクトと前記処理対象となる事故情報を表すオブジェクトとを離間して位置付けて表示するステップと、
を備える事故情報提供方法。
【請求項９】
前記選択された所定の項目要素が、事故が発生した時刻および事故が検出された時刻の何れかを表す事故時刻であり、前記事故時刻の位置領域において、前記主題となる事故情報を表すオブジェクト及び前記処理対象となるオブジェクトを位置付けて表示する請求項８記載の事故情報提供方法。
【請求項１０】
前記オブジェクト同士を離間して位置付けて表示するステップの後に、追加項目として事故発生場所を選択し、前記選択された所定の項目要素の位置領域において位置付けされた前記主題となる事故情報を表すオブジェクト及び前記処理対象となるオブジェクトに、前記追加項目としての事故発生場所を関連付けて表示するステップをさらに備える請求項８又は９記載の事故情報提供方法。
【請求項１１】
２Ｄ表示又は３Ｄ表示を選択するステップを設け、３Ｄ表示を選択した場合は、前記オブジェクト同士を離間して位置付けて表示するステップの後に、複数の場所にまたがる事故情報を１つの事故情報として集約し、３Ｄ表示の高さの情報として位置付けて表示するステップをさらに備える請求項８乃至１０のいずれか１項記載の事故情報提供方法。
【発明の詳細な説明】
【技術分野】
【０００１】
本発明の実施形態は、電力系統の設備等に関する事故情報の提供を行う事故情報提供システム及び方法に関する。
【背景技術】
【０００２】
従来、電力系統の設備等において事故が生じた場合、事故に関する情報は、時系列による表示等によって利用者に迅速に通知されていた。
【０００３】
しかしながら、上述した方法では、通知された複数の事故情報相互間の関連性の度合が明らかではなく、かつ過去に生じた事故についての情報が得られるにとどまり、将来の事故の発生を予測することや、過去に生じた事故についての情報を有効活用することはできなかった。
【先行技術文献】
【特許文献】
【０００４】
【特許文献１】特開２００７−２０１９６１号公報
【発明の概要】
【発明が解決しようとする課題】
【０００５】
本発明の実施形態は、主題となる事故情報と関連性のある複数の事故情報について、これらの関連性の度合が視覚的、直感的に把握でき、将来の事故の発生の予測が可能かつ過去の事故情報を有効活用可能な事故情報提供システム及び方法を提供することを目的とする。
【課題を解決するための手段】
【０００６】
上述の目的を達成するため、本発明の実施形態は、各々の事故情報が複数の項目要素と関連付けて記憶される事故情報データベースと、前記事故情報データベースから取得された、主題となる事故情報及び処理対象となる事故情報について、前記複数の項目要素から選択された所定の項目要素に関して前記主題となる事故情報と前記処理対象となる事故情報との関連度を算出するとともに、前記関連度に応じて前記主題となる事故情報を表すオブジェクトと前記処理対象となる事故情報を表すオブジェクトとを離間して位置付ける関連度算出部と、少なくとも前記事故情報データベース及び前記関連度算出部を制御して各種処理を実行させる制御部と、を備える。
【０００７】
また、前記のような実施形態で実行される方法も本発明の実施形態の１つである。
【図面の簡単な説明】
【０００８】
【図１】本発明の第１の実施形態を示す構成図である。
【図２】同実施形態の処理の流れを示すフローチャートである。
【図３】同実施形態によって表示される事故情報表示のイメージ図である。
【図４】図３の一部を拡大した事故情報表示のイメージ図である。
【図５】事故情報間の関連度の度合に応じて、事故情報を表すオブジェクトを配置したイメージ図である。
【図６】同実施形態によって表示される事故情報表示の他のイメージ図である。
【図７】本発明の第２の実施形態を示す構成図である。
【図８】同実施形態の処理の流れを示すフローチャートである。
【図９】同実施形態によって表示される事故情報表示のイメージ図である。
【図１０】本発明の第３の実施形態を示す構成図である。
【図１１】同実施形態の処理の流れを示すフローチャートである。
【図１２】同実施形態によって表示される事故情報表示（３Ｄ表示）のイメージ図である。
【発明を実施するための形態】
【０００９】
以下、本発明の実施形態について、図面を参照して具体的に説明する。
【００１０】
［第１の実施形態］
（構成）
図１に示すように、本実施形態の事故情報提供システム１０は、制御部１と、処理対象範囲取得部２と、事故情報データベース３と、関連度算出部４と、事故情報表示部５とを備えて構成される。
【００１１】
制御部１は、処理対象範囲取得部２、事故情報データベース３、関連度算出部４、及び事故情報表示部５をそれぞれ制御することにより、各種処理を実行させる。
【００１２】
処理対象範囲取得部２は、ユーザが主題とする事故情報（キーとなる事故情報）に対して、関連度算出の処理を行う処理対象範囲を予めユーザから取得する。また、処理対象範囲取得部２は、取得した処理情報範囲内の事故情報を事故情報データベース３から抽出する。
【００１３】
事故情報データベース３には、過去に発生した各事故のそれぞれについて、その事故情報としてメタデータが記録されている。メタデータは複数の項目要素を含み、この項目要素とは、例えば、事故件名、事故発生時刻、事故発生場所（支店）、停電軒数、影響度合（例えば、停電、瞬低）、設備種別、事故種別（事故原因）、電圧低下率、設備名、設備利用年数、メンテナンス時期等である。ここでの項目要素は、各々の事故情報間で互いに関連付けされて、事故情報データベース３に記憶される。
【００１４】
関連度算出部４は、事故情報データベース３から抽出された、キーとなる事故情報と、それ以外の処理対象となる事故情報との対比を行う。そして、メタデータに含まれる項目要素のうち、特に、事故発生時刻、事故種別（事故原因）、設備種別、及び影響度合の４つのカテゴリー毎に関連度を計算する。さらに、関連度の程度に応じて、後述するようにキーとなる事故情報を表すオブジェクトと処理対象となる事故情報を表すオブジェクトとを離間して位置付ける。
【００１５】
事故情報表示部５は、関連度算出部４により位置付けされた位置関係を表示画面に表示させる。
【００１６】
（作用）
以下、第１の実施形態における各部の動作について説明する。
【００１７】
ユーザからキーとなる事故情報が選択されると、図１及び図２に示すとおり、制御部１は、関連度算出部４に対して、キーとなる事故情報のメタデータを事故情報データベース３から取得させる（Ｓ１１）。
【００１８】
処理対象範囲取得部２は、ユーザにより予め選択された事故情報表示範囲に応じて処理対象範囲を取得する（Ｓ１２）。次に、処理対象範囲取得部２は、取得した処理対象範囲内の事故情報を事故情報データベース３から抽出する（Ｓ１３）。
【００１９】
関連度算出部４は、キーとなる事故情報のメタデータと、処理対象範囲取得部２により取得した処理対象になる事故情報のメタデータとから、各項目要素を抽出し、関連度の算出を行う。項目要素は、事故件名、事故時刻、事故発生場所(支店)、停電軒数、影響度合、設備種別、事故種別、電圧低下率、設備名、設備利用年数、メンテナンス時期などである。ここで、事故時刻とは、事故が発生した時刻（事故発生時刻）または事故が検出された時刻（事故検出時刻）を示す。以下は、事故時刻として事故発生時刻を記載するが、事故検出時刻に置き換えても良い。また、事故発生場所とは、事故が発生した場所を管轄する支店名を表しても良い。
【００２０】
関連度は、前記項目要素のうち特に重要な項目である、事故発生時刻、事故種別（事故原因）、設備種別、及び影響度合の４つのカテゴリーについて個別に算出される（Ｓ１４）。これにより、処理対象事故情報は前記カテゴリー毎に、関連度が高い順に順位付けされる。
【００２１】
関連度算出部４は、例えば、以下の（１）式に従ってカテゴリー毎の関連度を算出する。
Ｒ（ｎ）＝ｆａ（ｎ）（ａ１（ｎ）×ｍ１（ｎ）、ａ２（ｎ）×ｍ２（ｎ）、・・・、ａＸ（ｎ）×ｍＸ（ｎ））・・・（１）
ここで、Ｒ（ｎ）（ｎ＝１、２、３、４）：カテゴリーに関する関連度、
ｆａ（ｎ）（Ｘ＝１、２、・・・、ｘ）：項目要素毎の関連度と重み係数の関数、
ｍＸ（ｎ）（Ｘ＝１、２、・・・、ｘ）：項目要素毎の関連度の関数、
ａＸ（ｎ）（Ｘ＝１、２、・・・、ｘ）：項目要素毎の重み係数、
を表す。
【００２２】
ｍＸ（ｎ）は、項目要素毎の関連度の関数である。例えば、キーとなる事故情報の事故発生時刻と処理対象となる事故情報の事故発生時刻が近ければ近い程、大きな値をとる関数で実現される。その他の項目要素（事故発生場所（支店）、停電軒数、影響度合、設備種別、事故種別、電圧低下率、設備名、設備利用年数、メンテナンス時期）も同様に、キーとなる事故情報の項目要素と処理対象となる事故情報の項目要素毎の関連度が近ければ近い程、大きな値をとる関数で実現される。例えば、設備利用年数が近ければ近いほど、設備種別階級（例えば、５００ｋＶ、７７ｋＶ、３３ｋＶ等）が近ければ近いほど、大きな値をとる。
【００２３】
ａＸ（ｎ）は、項目要素毎の重み係数である。例えば、「影響度合」のカテゴリーの関連度算出にあたり、影響度合が停電あるいは瞬低である事故情報は非常に多く存在することが考えられる。同じ影響の事故情報であっても「影響度合」のカテゴリーの関連度の順位付けを行うために、その他の項目要素の関連度に重み付けを行い、第２、第３、第xの項目要素を使用する。
【００２４】
ｆａ（ｎ）は、項目要素毎の関連度の関数ｍＸ（ｎ）と項目要素毎の重み係数ａＸ（ｎ）の積を考慮した関数となり、カテゴリーに関する関連度Ｒ（ｎ）の算出を実現する。
【００２５】
関連度算出部４は、関連度の程度に応じて、後述するようにキーとなる事故情報を表すオブジェクトと処理対象となる事故情報を表すオブジェクトとを離間して位置付ける。
【００２６】
事故情報表示部５は、関連度算出部４により位置付けされた位置関係を表示画面に表示させる。
【００２７】
すなわち、事故情報表示部５では、事故情報表示画面に、カテゴリー毎の関連度を算出した結果を表示させる（Ｓ１５）。図３に示すように、事故情報は、それぞれ円形のオブジェクトで表示され、キーとなる事故情報のオブジェクト（キー情報２１）は、事故情報表示画面２０の中央に配置される。他方、関連度算出部４により算出された処理対象となる事故情報のオブジェクト２２は、関連度が高ければ高いほど、キーとなる事故情報のオブジェクト（キー情報２１）の近くに配置される。
【００２８】
図３に示すように、処理対象となる事故情報のオブジェクトは、事故情報表示画面２０全体が４つに分割された領域２０ａ，２０ｂ，２０ｃ，２０ｄに配置される。すなわち、領域２０ａには「事故発生時刻」のカテゴリーに関する（時）オブジェクト２２ａが、領域２０ｂには「事故種別」のカテゴリーに関する（種）オブジェクト２２ｂが、領域２０ｃには「設備種別」のカテゴリーに関する（設）オブジェクト２２ｃが、領域２０ｄには「影響度合」のカテゴリーに関する（影）オブジェクト２２ｄが、それぞれ配置される。
【００２９】
キー情報２１を囲む４つの領域２０ａ，２０ｂ，２０ｃ，２０ｄは、中央の位置から上下左右の方向に軸が設けられる。例えば、領域２０ａにおいては、キーとなる事故情報の事故発生時刻に対する関連度（事故発生時刻関連度）に応じて、関連度が大きいほど中央位置のキー情報２１側に配置される。他の軸に関しても同様にそれぞれのカテゴリーの軸が設けられた領域に、それぞれのカテゴリーに対応して算出された関連度に応じて、関連度の大きいほどキー情報２１側に配置される。
【００３０】
事故発生時刻に関するカテゴリーの領域２０ａでは、図４に示すように、キーとなる事故情報の事故発生時刻よりも前に発生した事故情報のオブジェクトを配置する事故前ゾーン２６と、事故発生時刻よりも後に発生した事故情報のオブジェクトを配置する事故後ゾーン２７とに分割される。事故発生時刻の領域を事故発生前後で分割することにより、キーとなる事故の前後に起きた事故の様子や事故の波及の様子を把握することができる。
【００３１】
事故情報表示画面２０において、図１に示す事故情報表示部５は、あらかじめ決められた件数分（ｄ件と仮定する）のオブジェクトの表示を行う。関連度の順位の大きいｄ件数分の事故情報のオブジェクトは、関連度の大きさによって相対的に配置される。例えば、「事故発生時刻」のカテゴリーにおいて、上位４件の発生時刻の関連度の大きさの度合がＡ：Ｂ：Ｃ：Ｄ＝１２：６：３：１の場合、図５に示すように、Ｄに対してＣが３、Ｂが６、Ａが１２の距離となるように配置される。このことにより、関連度の強さをオブジェクト同士の距離によって表現できる。
【００３２】
このように、事故情報表示画面２０上では、キーとなる事故情報と処理対象となる事故情報の関連度の度合に従い、両者のオブジェクトの配置・距離を変えることによって表現される。また、関連のカテゴリーはカテゴリー毎に分割された４つの領域に対して、どの領域に配置されているかによって表現される。
【００３３】
ひとつの事故情報が複数のカテゴリーにおいてキーとなる事故情報と高い関連度を有している場合は、事故情報表示画面２０上において、配置されているオブジェクトが同じ事故情報であることが識別できるように表示される。例えば、図６に示すように、（Ｘ）オブジェクト２８として、白抜きで表示する。
【００３４】
また、これ以外にも、表示の配色を反転させて表示させたり、そのオブジェクトをバックライトでハイライトさせて表示させたり、オブジェクトの径を大きくしたり、オブジェクトの形状を矩形状や三角形状にすることで他のオブジェクトと区別することができる。
【００３５】
事故情報表示画面２０上に配置された事故情報のオブジェクトの中で、より詳細な情報を知りたい場合は、そのオブジェクトが選択されると、事故情報表示部５は、表示画面において、詳細情報を表示させる（Ｓ１６）。詳細情報を表示するには、例えば、ポップアップとして表示、詳細情報を表示する画面に移動すること等で行うことができる。
【００３６】
（効果）
本実施形態では、以下の効果を奏することができる。
（１）キーとなる事故情報のオブジェクトに対し、処理対象となる事故情報のオブジェクトを関連度の大小に応じて配置することにより、キーとなる事故情報との関連性の程度が視覚的、直感的に把握できる。
【００３７】
（２）キーとなる事故情報に対して関連度・類似度の高い事故情報を効率よく表示することができ、１つのユーザインターフェースで多くの利用目的・用途にあった表示・検索を実現できる。
【００３８】
（３）単なる事故情報の提供に留まらず、運用・保守部門の電力設備保守への対応や営業部門のお客様対応等への付加価値を提供することが可能になる。
【００３９】
（４）設備・保守・工事主管部門においては、過去における同一設備又は類似設備の事故発生状況を検索し、過去の事故対応を参考にすることにより、将来の事故の発生を予測したり、今後の電力系統の運用等に活用したりすることができ、設備保守への初動体制への効果が期待できる。
【００４０】
（５）一般社員（広報部門、営業部門、コールセンター等）においては、同一設備又は類似設備の事故波及状況の確認、過去の事故対応を参考にすることにより、お客様への対応方法の改善、対応範囲の確認、体制準備への効果が期待できる。
【００４１】
［第２の実施形態］
（構成）
第２の実施形態の事故情報提供システム３０は、前記第１の実施形態に対して、追加項目要素付加部８を追加したものである。すなわち、図７に示すように、本実施形態の事故情報提供システム３０は、制御部１と、処理対象範囲取得部２と、事故情報データベース３と、関連度算出部４と、追加項目要素付加部８と、事故情報表示部５とを備えて構成される。
【００４２】
追加項目要素付加部８は、事故発生場所（支店）等の追加項目を図４に示す事故情報表示画面２０上に重ねて表示したり、追加項目に基づいて図４に示した関連度算出結果を並べ替えたりする機能を有している。
【００４３】
（作用）
以下、第２の実施形態における各部の動作について説明する。
【００４４】
ユーザからキーとなる事故情報が選択されると、図７及び図８に示すとおり、制御部１は、関連度算出部４に対して、ユーザにより選択されたキーとなる事故情報のメタデータを事故情報データベース３から取得させる（Ｓ１１）。
【００４５】
処理対象範囲取得部２は、ユーザにより予め選択された事故情報表示範囲に応じて処理対象範囲を取得する（Ｓ１２）。次に、処理対象範囲取得部２は、取得した処理対象範囲の事故情報を事故情報データベース３から抽出する（Ｓ１３）。
【００４６】
関連度算出部４は、キーとなる事故情報のメタデータと、処理対象範囲取得部２により取得した処理対象になる事故情報のメタデータとから、各項目要素を抽出し、関連度の算出を行う。
【００４７】
関連度は、前記項目要素のうち特に重要な項目である、事故発生時刻、事故種別（事故原因）、設備種別、及び影響度合の４つのカテゴリーについて個別に算出される（Ｓ１４）。これにより、処理対象事故コンテンツは前記カテゴリー毎に、関連度が高い順に順位付けされる。
【００４８】
事故情報表示部５は、事故情報表示画面２０に、カテゴリー毎の関連度を算出した結果を表示させる（Ｓ１５）。
【００４９】
追加項目要素付加部８は、この関連度を算出した結果を表示した事故情報表示画面２０上に、ユーザによって新たに選択された追加項目に関する情報（例えば、事故発生場所（支店）等の情報）を重ね合わせて表示させる（Ｓ１７）。
【００５０】
例えば、追加項目要素付加部８は、図９に示すように、「事故発生時刻」に関するカテゴリーの領域２０ａにおいて配置された（時）オブジェクト２２ａにおいて、ユーザが選択した事故発生場所（仮に、京都支店とする）に該当するオブジェクト２９ａを選択し、関連線２４として一点鎖線で連結表示させる。さらに、そのオブジェクト２９ａを選択すると、事故情報表示部５は、その事故に関する詳細情報をポップアップとして表示したり、別画面にて詳細情報を表示したりする。
【００５１】
これより、同一場所での事故発生の前後の状況をつぶさに追跡調査することが可能になり、キーとなる事故と類似した事故の前後に起きた事故の様子や事故の波及の様子を的確に把握することができ、将来の事故の予測データとして有効な活用が期待できる。
【００５２】
また、追加項目要素付加部８は、ステップＳ１４においてカテゴリー毎の関連度の算出を行った結果について、さらにユーザにより選択された追加項目に基づき前記算出結果を並べ替えてその結果を新たな表示画面に表す（Ｓ１７）。
【００５３】
これにより、同一場所での事故発生の時系列表示や、同一時刻で事故が発生している場所範囲の表示が可能となり、ユーザにより選択された追加項目を重点とした事故の把握ができることになる。
【００５４】
（効果）
本実施形態によれば、第１の実施形態の（１）〜（５）の効果だけでなく、以下の効果も奏する。
【００５５】
（６）同一場所での事故発生の前後の状況をつぶさに追跡調査することが可能になる。キーとなる事故と類似した事故の前後に起きた事故の様子や事故の波及の様子を的確に把握することができ、将来の事故の予測データとして有効な活用が期待できる。
【００５６】
（７）同一場所での事故発生の時系列表示や、同一時刻で事故が発生している場所範囲の表示が可能となる。これにより、ユーザにより選択された追加項目を重点とした事故の把握ができることになる。
【００５７】
［第３の実施形態］
（構成）
第３の実施形態の事故情報提供システム４０は、前記第１の実施形態に対して、表示方法選択部１１及び集約処理機能部１３を追加したものである。すなわち、図１０に示すように、本実施形態の事故情報提供システム４０は、制御部１と、処理対象範囲取得部２と、事故情報データベース３と、関連度算出部４と、表示方法選択部１１と、集約処理機能部１３と、事故情報表示部５’とを備えて構成される。
【００５８】
表示方法選択部１１は、ユーザにより３Ｄ表示または２Ｄ表示が選択されると、カテゴリー毎の関連度を算出した結果を選択された表示方法で表示するように事故情報表示部５’に対して指令する。
【００５９】
事故情報表示部５’は、表示方法選択部１１からの指令により、３Ｄ表示機能を備えた表示画面に対し、３Ｄ表示または２Ｄ表示をさせる。
【００６０】
集約処理機能部１３は、複数の場所（例えば、支店間）にまたがる事故があった場合、複数の支店で検出した複数の事故情報を１つの事故情報として集約する機能を有している。
【００６１】
（作用）
以下、第３の実施形態における各部の動作について説明する。
【００６２】
本実施形態では、図１１に示すとおり、ユーザにより３Ｄ表示または２Ｄ表示が選択されると、選択された表示方法に従い、制御部１が各ステップを遂行する。
【００６３】
２Ｄ表示の場合は、第１の実施形態と同様の処理が行われる。すなわち、ステップＳ１１からＳ１４が行われ、事故情報表示部５’は、表示画面に対して図３に示すような二次元の事故情報表示を行う（Ｓ１５）。
【００６４】
他方、３Ｄ表示の場合は、図１１に示すように、ステップＳ１１からＳ１４までは、第１の実施形態と同様に行われる。次に、集約処理機能部１３は、複数の支店で同一の事故が発生していた場合に、それらの複数の事故情報を、１つの事故情報として集約する（Ｓ１８）。
【００６５】
次に、事故情報表示部５’は、図１２に示すように、事故発生時刻、事故種別（事故原因）、設備種別、及び影響度合の４つのカテゴリー毎に、１つの事故情報として集約した情報を「集約支店数」の項目として、３Ｄ表示の高さの情報として表示画面に表示させる（Ｓ１５）。
【００６６】
事故情報表示画面５０上に配置された事故情報のオブジェクトの中でより詳細な情報を知りたい場合には、ユーザによるオブジェクトの選択により、事故情報表示部５’はその事故についての詳細情報を表示画面に表示させる（Ｓ１６）。
【００６７】
（効果）
本実施形態によれば、第１の実施形態の（１）〜（５）の効果だけでなく、以下の効果も奏する。
【００６８】
（８）「集約支店数」を高さ情報として表示することで、キーとなる事故情報と関連度が大きい事故情報の影響範囲の規模を視覚的、直感的に把握できるので、事故波及状況をより的確に把握できる。これより、効果的に将来の事故の発生を予測したり、今後の電力系統の運用等に活用したりすることができるようになる。
【００６９】
[他の実施形態]
（１）前記各実施形態では、項目要素として、事故件名、事故発生時刻、事故発生場所、停電軒数、影響度合（例えば、停電、瞬低）、設備種別、事故種別、電圧低下率、設備名、設備利用年数、メンテナンス時期を挙げたが、項目要素はこれらに限定されるものではない。事故に関する他の任意の項目を追加することもできる。
【００７０】
（２）前記各実施形態では、関数として式（１）に示すものを用いたが、あくまでも一例であり、関連度の関数のみを適用したり、項目要素の一部のみに重み係数を適用したりすることもできる。
【００７１】
（３）前記各実施形態では、事故発生時刻、事故種別（事故原因）、設備種別、及び影響度合の４つのカテゴリー毎に関連度を計算し、その結果を図３、図６及び図１２に示すように、表示画面を４分割して表示したが、それ以外のカテゴリー数を選択してそれぞれ関連度を計算し、そのカテゴリー数に応じて表示画面を分割して表示しても良い。
【００７２】
（４）前記第２の実施形態では、「事故発生時刻」に関するカテゴリーの表示に対して、さらに「事故発生場所（支店）」に関する追加項目を重ね合わせて表示したが、「事故発生時刻」以外の他のカテゴリーの表示に対して、「事故発生場所（支店）」以外の他の追加項目を重ね合わせて表示することもできる。また、関連線２４として一点鎖線を使用したが、他の任意の線を用いることができる。また、任意の色を付加して表示しても良い。
【００７３】
（５）前記各実施形態を組み合わせることもできる。すなわち、第２の実施形態において、表示方法選択部１１及び集約処理機能部１３を設けても良い。また、第３の実施形態において、追加項目要素付加部８を設けても良い。
【００７４】
（６）以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７５】
１…制御部
２…処理対象範囲取得部
３…事故情報データベース
４…関連度算出部
５、５’…事故情報表示部
８…追加項目要素付加部
１０、３０、４０…事故情報提供システム
１１…表示方法選択部
１３…集約処理機能部
２０、５０…事故情報表示画面
２０ａ，２０ｂ，２０ｃ，２０ｄ…領域
【図１】
2013109632.tif 000003
【図２】
2013109632.tif 000004
【図３】
2013109632.tif 000005
【図４】
2013109632.tif 000006
【図５】
2013109632.tif 000007
【図６】
2013109632.tif 000008
【図７】
2013109632.tif 000009
【図８】
2013109632.tif 000010
【図９】
2013109632.tif 000011
【図１０】
2013109632.tif 000012
【図１１】
2013109632.tif 000013
【図１２】
2013109632.tif 000014